(57)【要約】【課題】不要なウォームアップを回避しつつ、的確にウォームアップを行うことができる画像プリント技術を提供する。【解決手段】受付装置において顧客からの画像プリントのオーダを受け付けると、そのオーダの画像データが画像処理装置に送られ、画像処理部により画像処理が開始される。同時に、画像プリントのオーダが受け付けられた旨の通知が画像プリント装置に通知され、その画像プリント装置のウォームアップ制御部によりウォームアップが開始される。【選択図】図８
2010284887.tif 000002
【特許請求の範囲】
【請求項１】
画像プリントに用いる画像データと当該画像プリントの注文内容とを含むオーダ情報を受け付ける受付装置と、前記画像データに対して画像処理を施す画像処理装置と、前記画像処理装置により画像処理が施された前記画像データに基づき画像プリントを作成する画像プリント装置と、を備えた画像プリントシステムであって、
前記画像プリント装置は、当該画像プリント装置のウォームアップの制御を行うウォームアップ制御部を備え、
前記受付装置において前記オーダ情報を受け付けた際に、前記画像処理装置は当該オーダ情報に含まれる前記画像データに対する画像処理を開始し、前記ウォームアップ制御部は前記画像プリント装置のウォームアップを開始することを特徴とする画像プリントシステム。
【請求項２】
複数の前記画像プリント装置と、制御装置と、を備え、
前記制御装置は、前記受付装置において前記オーダ情報を受け付けた際に、当該オーダ情報に含まれる前記注文内容に基づき前記画像プリントを作成する前記画像プリント装置を決定する画像プリント装置決定部を備え、
前記受付装置において前記オーダ情報を受け付けた際に、前記画像プリント装置決定部により決定された画像プリント装置の前記ウォームアップ制御部は当該画像プリント装置のウォームアップを開始することを特徴とする請求項１記載の画像プリントシステム。
【請求項３】
画像プリントを作成する画像プリント装置を備えた画像プリントシステムの制御方法であって、
画像プリントに用いる画像データと画像プリントの注文内容とを含むオーダ情報を受け付けるオーダ受付ステップと、
前記画像データに対して画像処理を施し前記画像プリントのための画像プリントデータを作成する画像処理ステップと、
前記画像プリント装置のウォームアップを行うウォームアップステップと、
前記オーダ受付ステップにおいて前記オーダ情報を受け付けた際に、前記画像処理ステップは前記オーダ情報に含まれる前記画像データに対しての画像処理を開始し、前記ウォームアップステップは前記画像プリント装置のウォームアップを開始することを特徴とする画像プリントシステムの制御方法。
【発明の詳細な説明】
【技術分野】
【０００１】
本発明は、画像プリントを形成する画像プリント技術に関し、特に画像プリントのためのオーダを受け付ける受付装置と画像処理後に画像プリントを行う画像プリント装置とを備えた画像プリントシステムおよびその制御方法に関する。
【背景技術】
【０００２】
一般的な画像プリント装置では、画像プリントを行っていない待機中の消費電力を抑えるためにヒータ等の電力供給を停止する節電モードを有している。画像プリント装置がこの節電モードとなっているときに画像プリントの要求を受けると、電力供給を停止しているヒータ等に電力供給を開始し、画像プリント装置の各部を画像プリントが可能な状態にする必要がある（以下、ウォームアップと称する）。しかしながら、このウォームアップ処理には一定時間を要するため、節電モードからの迅速な画像プリントが行えないという問題がある。
【０００３】
この問題を解決するために、ランダムタイマーと、ランダムタイマーからの信号又は上位装置からデータを受け取り、印刷部用電源のオン・オフを制御するフォームアップコントロール部と、印刷部用電源と、印刷部とを有し、上位装置からのデータの有無にかかわらず、ランダムタイマーからのオン信号により印刷部をウォームアップする機能を有することを特徴とするページ画像プリント装置がある（特許文献１参照）。
【０００４】
このページ画像プリント装置では、ランダムタイマーによりランダムなタイミングで発生されるオン信号に応じて、ウォームアップコントロール部がウォームアップを開始する。これにより、従来の画像プリント装置に比べて、画像プリントまでの待ち時間を全体として低減している。
【０００５】
また、画像形成のために印刷エンジンのウォームアップが必要な動作状態である節電モードを備える画像形成装置であって、前記印刷エンジンを使用する可能性が高いことを示す使用可能性情報を受信する受信手段と、前記使用可能性情報の受信時に前記節電モードであれば、前記印刷エンジンのウォームアップを開始する開始手段と、前記ウォームアップの開始後前記ウォームアップが完了するまで、前記開始したウォームアップを中止すべき中止条件が検出されたか否かをチェックする検出手段と、前記中止条件が検出されると前記開始したウォームアップを中止する中止手段と、を有する画像形成装置がある（特許文献２参照）。
【０００６】
この特許文献２の画像形成装置では、使用可能性情報に基づいてウォームアップを開始することにより、画像プリントまでの待ち時間を低減している。
【先行技術文献】
【特許文献】
【０００７】
【特許文献１】特開平９−０７６６０２号公報（段落番号００１０，００１７）
【特許文献２】特開２００９−０５８７７０号公報（段落番号０００９−００１１、図３）
【発明の概要】
【発明が解決しようとする課題】
【０００８】
しかしながら、特許文献１の技術では、ウォームアップがランダムに行われるため、不要なウォームアップが生じたり、画像プリントを行う際に必ずしもウォームアップがなされているとは限らず、待ち時間が発生する可能性があり、効率的ではない。
【０００９】
また、特許文献２の技術では、使用可能性情報に基づきウォームアップを開始するため、画像プリントまでの待ち時間を的確に低減することができるものの、飽くまでも使用可能性に基づいているため、無駄なウォームアップが生じている。そのため、特許文献２の技術では、ウォームアップ中のウォームアップ中止条件を判定しているが、不要なウォームアップの開始は回避できない。
【００１０】
本発明の目的は、このような課題に鑑み、不要なウォームアップを回避しつつ、的確にウォームアップを行うことができる画像プリント技術を提供することである。
【課題を解決するための手段】
【００１１】
前記課題を解決するために、本発明の画像プリントシステムは、画像プリントに用いる画像データと当該画像プリントの注文内容とを含むオーダ情報を受け付ける受付装置と、前記画像データに対して画像処理を施す画像処理装置と、前記画像処理装置により画像処理が施された前記画像データに基づき画像プリントを作成する画像プリント装置と、を備えた画像プリントシステムであって、前記画像プリント装置は、当該画像プリント装置のウォームアップの制御を行うウォームアップ制御部を備え、前記受付装置において前記オーダ情報を受け付けた際に、前記画像処理装置は当該オーダ情報に含まれる前記画像データに対する画像処理を開始し、前記ウォームアップ制御部は前記画像プリント装置のウォームアップを開始する。
【００１２】
この構成では、受付装置において画像プリントのオーダ情報を受け付けると、オーダ情報中の画像データは画像処理装置に送られ、画像処理が開始される。同時に、ウォームアップ制御部は画像プリント装置のウォームアップを開始する。これにより、画像処理部により画像プリントに用いる画像データが作成されている間にウォームアップが行われるため、画像プリントまでの時間を低減することができる。また、受付装置によりオーダ情報が受け付けられた後にウォームアップが開始されるため、不要なウォームアップを回避することができる。
【００１３】
複数の画像プリント装置を備えている場合に十分に本発明の効果を奏するために、本発明の画像プリントシステムの好適な実施形態の一つでは、複数の前記画像プリント装置と、制御装置と、を備え、前記制御装置は、前記受付装置において前記オーダ情報を受け付けた際に、当該オーダ情報に含まれる前記注文内容に基づき前記画像プリントを作成する前記画像プリント装置を決定する画像プリント装置決定部を備え、前記受付装置において前記オーダ情報を受け付けた際に、前記画像プリント装置決定部により決定された画像プリント装置の前記ウォームアップ制御部は当該画像プリント装置のウォームアップを開始する。
【００１４】
この構成では、注文内容（プリント数、プリントサイズ，プリント用紙の種類等）に応じて、使用する画像プリント装置が決定され、その決定された画像プリント装置のみがウォームアップを開始する。これにより、実際に使用される画像プリント装置のみがウォームアップされ、画像プリントの作成を行わない画像プリント装置のウォームアップを回避することができる。
【００１５】
本発明の画像プリントシステムの技術的特徴は、同様の画像プリントシステムの制御方法にも適用することができる。例えば、画像プリントを作成する画像プリント装置を備えた画像プリントシステムの制御方法であって、画像プリントに用いる画像データと画像プリントの注文内容とを含むオーダ情報を受け付けるオーダ受付ステップと、前記画像データに対して画像処理を施し前記画像プリントのための画像プリントデータを作成する画像処理ステップと、前記画像プリント装置のウォームアップを行うウォームアップステップと、前記オーダ受付ステップにおいて前記オーダ情報を受け付けた際に、前記画像処理ステップは前記オーダ情報に含まれる前記画像データに対しての画像処理を開始し、前記ウォームアップステップは前記画像プリント装置のウォームアップを開始する画像プリントシステムの制御方法に用いることができる。当然ながら、このような画像プリントシステムの制御方法にも、上述した画像プリントシステムの付加的特徴を適用することができる。
【図面の簡単な説明】
【００１６】
【図１】本発明の画像プリントシステムの実施例１の形態におけるシステム構成図である。
【図２】本発明の画像プリントシステムにおける受付装置の斜視図である。
【図３】本発明の画像プリントシステムにおける引渡装置の斜視図である。
【図４】本発明の画像プリントシステムにおける引渡装置の内部側面図である
【図５】本発明の画像プリントシステムにおける引渡装置の内部背面図である。
【図６】本発明の画像プリントシステムにおける引渡装置の挿入ユニットの斜視図である。
【図７】本発明の画像プリントシステムにおける引渡装置の収容ユニットと排出ユニットの斜視図である。
【図８】本発明の画像プリントシステムの実施例１の形態における処理の流れを表すフローチャートである。
【図９】本発明の画像プリントシステムの実施例１の形態におけるオーダ受付後の処理におけるデータの流れを表すデータフローである。
【図１０】本発明の画像プリントシステムのオーダ受付時のオーダ入力画面の例である。
【図１１】本発明の画像プリントシステムのオーダ受付時の補正値設定画面の例である。
【図１２】本発明の画像プリントシステムの実施例１の形態における受付証の例である。
【図１３】本発明の画像プリントシステムの実施例２の形態におけるシステム構成図である。
【図１４】本発明の画像プリントシステムの実施例２の形態における処理の流れを表すフローチャートである。
【図１５】本発明の画像プリントシステムの実施例２の形態におけるオーダ受付後の処理におけるデータの流れを表すデータフローである。
【図１６】本発明の画像プリントシステムの実施例２の形態における受付証の例である。
【発明を実施するための形態】
【実施例１】
【００１７】
〔システム構成〕
以下に、図面を用いて本発明の画像プリントシステムの実施例を説明する。図１は、本発明の画像プリントシステムのシステム構成図である。図に示すように、本発明の画像プリントシステムは顧客から画像プリントの注文（以下、オーダと称する）を受け付ける受付装置Ａ、受け付けたオーダの画像データに対して画像処理を施す画像処理装置Ｂ、顧客に対して画像プリントを引き渡すための引渡装置ＣがネットワークＬを介して接続されている。ネットワークＬは、ＬＡＮ（Local Area Network）等の公知のネットワークを用いることができ、ネットワークの接続は有線／無線を問わない。なお、引渡装置Ｃの内部には、画像プリントを作成する画像プリント装置Ｃａが備えられている。
【００１８】
以下に、図面を用いて各装置を具体的に説明する。
【００１９】
〔受付装置〕
図２は、受付装置Ａの斜視図である。受付装置Ａは、顧客から画像プリントを行うための画像データと画像プリントの注文内容（プリント数，プリントサイズ，プリント用紙の種類等）とをオーダ情報として取得する機能および画像プリントの料金を徴収する機能を有している。そのため、受付装置Ａは、上部の受付ユニットＡＵおよび下部の料金受領ユニットＡＤから構成されている。
【００２０】
受付ユニットＡＵは、フラッシュメモリ等の半導体メモリからなる各種半導体記憶媒体から画像データを取得するための半導体ドライブ２、ＣＤ−Ｒ等のディスク型記憶媒体から画像データを取得するディスクドライブ３、受付証Ｒ（図１２参照）をプリントし排出する受付証画像プリント装置４、カメラ付き携帯電話等の機器に接続し画像データを取得するコネクタ５、および各種の表示を行うと共に顧客からの入力を可能にするタッチパネル６を表示面に形成したディスプレイ７を備えている。
【００２１】
また、図９に示すように、受付ユニットＡＵの本体１の内部には、ＣＰＵを中核部材として各種制御をおこなう受付制御ユニット８が備えられている。この受付制御ユニット８はさらに、顧客からの画像プリントの注文受付処理を行う受付部８Ａと、画像プリントを顧客に引き渡す際に必要となる各種情報をプリントした受付証Ｒを作成する受付証作成部８Ｂと、受け付けた画像プリント注文に係るデータを送信するデータ通信部８Ｃと、を備えている。
【００２２】
一方、料金受領ユニットＡＤは、縦長姿勢のケース１０の上部位置に備えられ、硬貨を受領する硬貨投入孔１１Ａを備えた硬貨受領器１１、紙幣を受領する紙幣挿入孔１２Ａを備えた紙幣受領器１２、およびケース１０の下部位置に備えられ、釣銭を排出する釣銭排出口１３Ａを供えた釣銭排出器１３を備えている。
【００２３】
〔画像処理装置〕
画像処理装置Ｂは、汎用コンピュータにより構成されており、受付装置Ａにより顧客から受け付けた画像データに対してシェーディング補正や鮮鋭化等の画像処理を施す画像処理部２０を備えている。また、画像処理部２０は、オーダの受付時に顧客から色補正指示があった場合（詳細は後述）には、その色補正指示に従った色補正も行う。画像処理を施した画像データ（以下、画像プリントデータと称する）は、画像プリント装置Ｃａにより、プリント用紙Ｐにプリントされ、画像プリントが作成される。
【００２４】
〔画像プリント装置〕
図４に示すように、画像プリント装置Ｃａは引渡装置Ｃの本体部３０の内部下方に備えられている。画像プリント装置Ｃａの本体４１の下端にはキャスタ４０が備えられており、本体４１の内部の２箇所には記録紙で成るロール状のプリント用紙Ｐが備えられている。また、本体４１の内部には、プリント用紙Ｐを搬送するために、複数の圧着ローラ４２が配置された搬送経路が形成されている。この搬送経路のプリント位置の上方位置にはプリント用紙Ｐの搬送方向と直交する方向に往復作動しながらインクを吐出するプリントヘッド４３が配置され、プリント位置の下方にはプリント用紙Ｐに負圧を作用させて平坦な基準面に沿わせる吸引機構４４が配置されている。搬送経路にはプリントヘッド４３で画像データがプリントされたプリント用紙Ｐ（画像プリント）をプリントサイズに切断するカッター４５を備えており、このカッター４５の下方位置にはカッター４５での切断により発生する切断片を回収するトラッシュボックス４６と、各種プリント処理を制御するプリント制御ユニット４７とが備えられている。
【００２５】
この画像プリント装置Ｃａでは、受付装置Ａから伝送されるオーダ情報に基づいてプリント制御ユニット４７が、圧着ローラ４２、プリントヘッド４３、カッター４５等を制御し、プリント用紙Ｐに画像データをプリントし、プリントサイズに切断して送り出す制御を実現する。この制御を行う際にプリント用紙Ｐの位置を検出する複数の位置センサ（図示せず）を備えており、これらの位置センサからの検出信号はプリント制御ユニット４７に入力する。
【００２６】
また、画像プリント装置Ｃａは、前述したように本体４１の下端にキャスタ４０を備えているので、後述する引渡装置Ｃの本体部３０のドア部３１を開放することで前方側に引き出すことができ、プリント用紙Ｐの補給や交換だけではなくトラッシュボックス４６の切断片の回収が可能となっている。また、２箇所にセットされるプリント用紙Ｐの幅の選択により、幅が異なる複数種のプリントサイズに対応できる。図面には示していないが、この画像プリント装置Ｃａを引き出した後に元の位置に戻した場合には、引渡装置Ｃのガイド部（図示せず）に対して画像プリント装置Ｃａの基準部等が接当することで画像プリント装置Ｃａと本体部３０との相対的な位置関係が決まり、この画像プリント装置Ｃａにおけるプリント用紙Ｐの搬出位置と、搬送ユニットＣｄの搬送始端位置とがプリント用紙Ｐの搬送に最適な位置関係になる。
【００２７】
なお、画像プリント装置Ｃａはインクジェット型に限るものではなく、昇華型の画像プリント装置や、熱転写型の画像プリント装置、静電式の画像プリント装置、銀塩プリンタ等を用いることができる。また、画像プリント装置Ｃａは引渡装置Ｃの外部に設置する構成としても構わない。
【００２８】
画像プリント装置Ｃａは、一定時間画像プリントの作成が行われない場合には、電力消費を抑えるために待機モードとなるよう構成されている。この待機モードでは、画像プリント装置Ｃａの各部には必要最小限の電力を供給する、または電力の供給を遮断する構成となっている。そのため、例えば、画像プリントがされたプリント用紙を乾燥させる乾燥ヒータ（図示せず）の温度は画像プリントが行われたプリント用紙Ｐを乾燥させるに十分な温度以下となっている。また、プリントヘッド４３はフラッシュされていない状態となっている。すなわち、待機モードでは、画像プリント装置Ｃａの各部は画像プリントを作成できない状態となっている。そのため、このような状態から、画像プリントを作成できる状態にする処理（ウォームアップ）が必要となる。本発明の画像プリント装置Ｃａでは、画像プリント装置Ｃａのウォームアップが必要な各部を制御しウォームアップを実行するウォームアップ制御部４８を備えている。ウォームアップ制御部４８は、例えば、乾燥ヒータに十分な電力を供給し、十分な温度まで過熱する、プリントヘッド４３のフラッシュ処理を実行する等の制御を行う。
【００２９】
〔引渡装置〕
以下、図４から７を用いて本発明の引渡装置Ｃを説明する。引渡装置Ｃは、本体部３０と、本体部３０の前面にヒンジを介して開閉自在に支持されたドア部３１とを有した筐体を備えている。ドア部３１の前面上部にはモニタ３３が備えられ、このモニタ３３の下部位置にプリント用紙Ｐを排出する４つの排出口３４が形成されている。排出口３４の下側には、受付証Ｒにプリントされたバーコード形式のオーダ特定情報を読み取るバーコードリーダ３５と、各種音声情報を出力するスピーカ３６とが備えられている。なお、受付証Ｒに記録されるオーダ特定情報の形式が磁気情報等に変更された場合には、バーコードリーダ３５に代えて、適宜適したデバイスが用いられる。
【００３０】
本体部３０の内部上方には２つの収容ユニットＣｂが上下移動自在に支持されている。また、本体部３０の内部には画像プリント装置Ｃａで画像データがプリントされたプリント用紙Ｐを上方に送る搬送ユニットＣｄ、搬送ユニットＣｄから送り出されたプリント用紙Ｐを上方に送り、収容ユニットＣｂの収容空間Ｓに挿入する挿入ユニットＣｅを備えている。さらに、本体部３０の内部上方には収容ユニットＣｂの収容空間Ｓに収容されたプリント用紙Ｐを４つ排出口３４から排出する４つの排出ユニットＣｆを備えている。なお、４つの排出口３４には開閉作動するシャッターユニット３７が備えられている。
【００３１】
本体部３０の内部には搬送ユニットＣｄから送り出されたプリント用紙Ｐを積層する状態で受け止める２つのストッカーＣｇと、この２つのストッカーＣｇを左右方向に移動自在に支持するスライドプレート３８とが備えられている。スライドプレート３８の位置を調節することにより、搬送ユニットＣｄからプリント用紙Ｐが送り出される位置にストッカーＣｇの一方を配置することで、配置されたストッカーＣｇに積層する状態でプリント用紙Ｐを収容することができる。この本体部３０の内部上方には、各部を制御するマイクロプロセッサを有した制御ユニットＣｈが備えられている。
【００３２】
〔引渡装置：収容ユニット〕
収容ユニットＣｂは、縦壁５０と、水平姿勢に棚状に配置される複数の支持プレート５１とを備えることにより、収容ユニットＣｂの空間を区画して複数の収容空間Ｓが形成されている。また、２つの収容ユニットＣｂは左右に並列配置され、それぞれの収容ユニットＣｂには、２列の支持プレート５１が備えられている。これにより２つの収容ユニットＣｂ全体では、縦方向に多数で、横方向に４列の収容空間Ｓが配置されることになる。
【００３３】
この２つの収容ユニットＣｂは、上下位置調節機構５２により一方を上昇させる際には他方が下降するよう昇降する。上下位置調節機構５２は、上下の回転軸５２Ｓに備えたスプロケットに巻回する無端チェーン５２Ｃと、回転軸５２Ｓを駆動する位置調節モータ５２Ｍとを備えている。このように、２つの収容ユニットＣｂの一方を上昇させる作動形態を採用することにより、重心位置が高くなる現象を回避して重量バランスを良好に維持することができる。
【００３４】
上下位置調節機構５２は、制御ユニットＣｈからの制御信号に応じて、プリント用紙Ｐを収容空間Ｓに収容する際には、プリント用紙Ｐを収容すべき収容空間Ｓの高さを挿入ユニットＣｅによる挿入高さに設定し、プリント用紙Ｐを収容空間Ｓから排出する際には、排出すべきプリント用紙Ｐが収容されている収容空間Ｓの高さを排出ユニットＣｆによる排出高さに設定する。なお、収容ユニットＣｂや収容空間Ｓの高さはセンサ（図示せず）によって検知される。
【００３５】
〔引渡装置：搬送ユニット〕
搬送ユニットＣｄは、搬送ケース５５の内部に、画像プリント装置Ｃａから送り出されたプリント用紙Ｐに圧着する駆動ローラ５６と従動ローラ５７と、プリント用紙Ｐを圧着搬送する複数の圧着型の搬送ローラ５８とを備えている。
【００３６】
この搬送ユニットＣｄでは、画像プリント装置Ｃａから送り出されたプリント用紙Ｐを駆動ローラ５６と従動ローラ５７で圧着して搬送を行い、そのプリント用紙Ｐの後端が駆動ローラ５６と従動ローラ５７との圧着部位に達すると回転を停止して、駆動ローラ５６の駆動軸芯周りで９０度回転させることで、プリント用紙Ｐの後端を上方に向かう姿勢に切り換えた後、駆動ローラ５６を逆回転させることによりプリント用紙Ｐを搬送ローラ５８に受け渡し、この搬送ローラ５８の搬送により後端側から上方に送り出す作動を行う。
【００３７】
図面には示していないが、この搬送ユニットＣｄでは、駆動ローラ５６と複数の搬送ローラ５８とを駆動するモータを備え、プリント用紙Ｐの位置を検出するセンサを備えている。また、前述したように駆動ローラ５６の部位で反転させてプリント用紙Ｐを搬送することにより、この搬送ユニットＣｄは、搬送終端位置からプリント面を上側にしてプリント用紙Ｐを搬出する。
【００３８】
〔引渡装置：挿入ユニット〕
挿入ユニットＣｅは、搬送ユニットＣｄから送り出されたプリント用紙Ｐを積層状態で受け止めて上方に持ち上げるシフト部６０と、持ち上げられたプリント用紙Ｐを収容ユニットＣｂに挿入する４つの挿入部８０とにより構成されている。
【００３９】
シフト部６０は、本体部３０の左右の内壁に縦長姿勢の一対の縦レール６１と、この一対の縦レール６１によって両端が案内される状態で昇降作動する横フレーム６２と、横フレーム６２を昇降作動させる昇降駆動機構６３とを備えている。また、シフト部６０は、横フレーム６２の上面において横方向に移動自在に備えられた左ガイドレール６４、左ガイドレール６４と平行姿勢で横方向に移動自在に備えられた右ガイドレール６５、左ガイドレール６４を横方向に作動させる左作動機構６６、右ガイドレール６５を横方向に作動させる右作動機構６７を備えている。
【００４０】
昇降駆動機構６３は、昇降モータ６３Ｍと、昇降モータ６３Ｍで駆動される無端ベルト型の昇降ベルト６３Ｂとを有している。また、左作動機構６６は、左作動モータ６６Ｍと、左作動モータ６６Ｍで駆動される無端ベルト型の左ベルト６６Ｂとを備え、右作動機構６７は左作動機構６６と同様に、右作動モータ６７Ｍと、この右作動モータ６７Ｍで駆動される無端ベルト型の右ベルト６７Ｂとを備えている。なお、これらの位置を検知する位置センサ（図示せず）が備えられている。
【００４１】
また、シフト部６０は、左ガイドレール６４と右ガイドレール６５とにより受け止めるプリント用紙Ｐの位置を決めるように板状の固定ストッパー７１と、固定ストッパー７１と対向する位置に配置された板状の可変ストッパー７２とを備えている。固定ストッパー７１と可変ストッパー７２とはスライドプレート３８の上面に備えられた支持フレーム７３により支持されている。
【００４２】
固定ストッパー７１は、搬送ユニットＣｄから送り出されるプリント用紙Ｐの搬送上流側の位置を決める位置に固定され、可変ストッパー７２は、プリント用紙Ｐのサイズに対応して搬送ユニットＣｄから送り出されたプリント用紙Ｐの搬送方向下流側の位置を決めるように位置調節自在に備えられている。そのため、シフト部６０は、可変ストッパー７２の位置を調整する位置調整機構７４を備えている。位置調整機構７４は、位置調整モータ７４Ｍと、位置調整モータ７４Ｍで駆動される無端ベルト型の位置調整ベルト７４Ｂとを有している。
【００４３】
上述したように、収容空間Ｓは２つの収容ユニットＣｂに対して合計４列に形成されているため、収容空間Ｓの列数と同じ数、すなわち４つの挿入部８０が備えられている。挿入部８０は、シフト部６０で上方に持ち上げられたプリント用紙Ｐに押圧する押圧片８１と、挿入モータ８３と、この挿入モータ８３で駆動される無端ベルト型の挿入ベルト８４とを備え、この挿入ベルト８４に対して押圧片８１が連結している。
【００４４】
この挿入ユニットＣｅでプリント用紙Ｐを収容空間Ｓに挿入する際には、スライドプレート３８を、固定ストッパー７１と可変ストッパー７２とを搬送ユニットＣｄからプリント用紙Ｐが搬出される位置にスライド配置する。一方、位置調整機構７４の制御により、固定ストッパー７１と可変ストッパー７２との間隔をプリント用紙Ｐの長さ（搬送方向での寸法）に対応した値に設定される。また、左作動機構６６と右作動機構６７との制御により、プリント用紙Ｐの幅（搬送方向と直交する方向での寸法）に対応した値に左ガイドレール６４と右ガイドレール６５と間隔が設定される。さらに、昇降駆動機構６３の駆動により、横フレーム６２と一体的に左ガイドレール６４と右ガイドレール６５とを搬送ユニットＣｄから搬出されるプリント用紙Ｐを受け止める高さに配置する。
【００４５】
これにより、搬送ユニットＣｄから送り出されるプリント用紙Ｐを、固定ストッパー７１と可変ストッパー７２とで長さ方向での位置を規制し、左ガイドレール６４と右ガイドレール６５とにより幅方向で位置を規制するとともに、積層する状態で受け止める。受け止めたプリント用紙Ｐが設定枚数に達すると、昇降駆動機構６３の制御により、横フレーム６２と一体的に左ガイドレール６４と右ガイドレール６５とを上昇させる。この上昇時に、左作動機構６６と右作動機構６７との制御により、左ガイドレール６４と右ガイドレール６５とを挿入目標となる収容空間Ｓが存在する列まで横方向に移動させる。
【００４６】
横フレーム６２の上昇作動時には、上下位置調節機構５２の制御により、収容ユニットＣｂの挿入目標とする収容空間Ｓを挿入部８０によりプリント用紙Ｐを挿入可能な高さに設定する。この状態で、横フレーム６２が挿入部８０で挿入可能な高さに達すると、挿入モータ８３の制御により押圧片８１を前方に作動させ、この押圧片８１で積層状態のプリント用紙Ｐを押圧し、挿入目標とする収容空間Ｓに収容する。
【００４７】
〔引渡装置：排出ユニット〕
排出ユニットＣｆも、収容空間Ｓの列数と同じ数、すなわち４つのものが備えられており、各排出ユニットＣｆは収容空間Ｓの各列に対応している。排出ユニットＣｆは、収容空間Ｓに収容されているプリント用紙Ｐに接触する接当板９０と、これに連接されたアーム体９１と、排出モータ９３と、この排出モータ９３で駆動される無端ベルト型の排出ベルト９４とを備え、この排出ベルト９４に対してアーム体９１が連結している。
【００４８】
排出ユニットＣｆでプリント用紙Ｐを排出する際には、上下位置調節機構５２の制御により収容ユニットＣｂを昇降させることで、排出すべきプリント用紙Ｐが収容された収容空間Ｓを排出ユニットＣｆで排出可能な高さに設定する。この状態で排出すべきプリント用紙Ｐが収容された列の排出モータ９３を制御することにより、接当板９０を前方に作動させ、この接当板９０でプリント用紙Ｐを排出口３４から送り出す。上述したように、各排出口３４にはシャッターユニット３７が備えられているため、プリント用紙Ｐの排出時には、プリント用紙Ｐが排出される排出口３４に対応するシャッターユニット３７の電動モータ（図示せず）を駆動し、そのシャッターユニット３７を開放作動させる。これにより、顧客は排出口３４から排出されるプリント用紙Ｐを引き出すことができる。そのため、プリント用紙Ｐの送り出し量は、プリント用紙Ｐは長さ方向で顧客が握って引き出せる程度であれば十分である。
【００４９】
〔引渡装置：ストッカー〕
ストッカーＣｇは、いわゆるＬサイズや比較的多量にプリントされる頻度が高いサイズのプリント用紙を積層状態で蓄積するために使用される。本実施形態では、２つのストッカーＣｇが備えられており、それぞれ異なるサイズのプリント用紙Ｐに対応している。当然ながら、ストッカーＣｇの数や対応するプリント用紙Ｐのサイズは適宜変更可能である。
【００５０】
ストッカーＣｇは、上方に開放した矩形の枠体９６を有し、この枠体９６の内部には上方に向けてバネ付勢されたボトムプレート９７が備えられている。上述したように、２つのストッカーＣｇはスライドプレート３８に支持されている。スライドプレート３８は、スライド駆動機構９８によりスライド作動可能になっている。スライド駆動機構９８は、スライド駆動モータ９８Ｍと、このスライド駆動モータ９８Ｍの駆動力によって作動する無端ベルト型のスライドベルト９８Ｂとで構成されている。
【００５１】
ストッカーＣｇにプリント用紙Ｐを収容する際には、スライドプレート３８をスライドさせることにより、収容するプリント用紙Ｐに対応したサイズのストッカーＣｇを、搬送ユニットＣｄから送り出されるプリント用紙Ｐを受け止める位置に配置する。これにより、ストッカーＣｇ上にプリントされたプリント用紙Ｐが排出され、プリント用紙Ｐの重量によりバネの付勢力に抗してボトムプレート９７が下降することにより、プリント用紙Ｐが積層状態で収容される。
【００５２】
この引渡装置Ｃでは、ストッカーＣｇに対して数百枚を超えるプリント用紙Ｐの収容が可能であり、ストッカーＣｇへの収容を行った場合には、オペレータが適宜ドア部３１を開放し、ストッカーＣｇに収容したプリント用紙Ｐを人為的に取り出し、ＤＰ袋等に保存し手渡しラック（図示せず）に対して人為的に保管することになる。特に、ストッカーＣｇにプリント用紙Ｐを収容する際に、１つのオーダのプリント用紙Ｐだけでなく複数のオーダのプリント用紙Ｐを収容することも可能であり、このように複数のオーダのプリント用紙Ｐを収容する場合には、オーダの区切りを明らかにするためにオーダの特定が可能な情報をプリント用紙Ｐにプリントし、プリント用紙Ｐの最後に付加する制御も行われる。
【００５３】
〔処理の流れ〕
以下に、図８のフローチャートおよび図９のデータフローを用いて、本実施例における画像プリントシステムの処理の流れを説明する。未使用時の受付ユニットＡＵのディスプレイ７には初期画面が表示されているため、画像プリントを注文したい顧客は、タッチパネル６を操作し、受付ユニットＡＵを画像データの入力可能状態に移行させる。その後、顧客は画像プリントを行うための画像データが記録されている媒体（ＵＳＢメモリ，ＣＤ−Ｒ，携帯電話等。画像データ記憶媒体と総称する）を受付ユニットＡＵの対応するドライブ（半導体ドライブ２，ディスクドライブ３）やコネクタ５に装着する。
【００５４】
画像データ記憶媒体の装着が完了すると、受付部８Ａは画像データを読み込み、本体１のメモリ（図示せず）に一時記憶する（＃０１）。このとき、受付部８Ａは、各画像データに対して、各画像データを識別するための画像ＩＤを付与する。受付部８Ａは、画像データの取得が完了すると、注文内容を入力するためのオーダ入力画面に移行する。オーダ入力画面は受付部８Ａにより生成され、ディスプレイ７に表示される。
【００５５】
顧客はディスプレイ７に表示されたオーダ入力画面に対してタッチパネル６を操作し、注文内容を入力する（＃０２）。図１０はこのときのオーダ入力画面の例である。本例のオーダ入力画面１００には、受け付けた画像データのサムネイル画像１０１、各画像データに対する画像プリントの枚数を入力するプリント枚数入力領域１０２、各画像データに対する画像プリントのプリントサイズを入力するプリントサイズ入力領域１０３、各画像データに設定されている補正値を表示するための補正値表示領域１０４を備えている。なお、受付部８Ａは、受け付けた画像データがＥｘｉｆ（Exchangeable image file format）等のサムネイル画像データを含む場合には、そのサムネイル画像データを用いてサムネイル画像１０１を表示し、画像データがサムネイル画像データを含まない場合にはサムネイル画像データを生成しオーダ入力画面１００に表示する。
【００５６】
一般的に、オーダ入力画面１００に表示できるサムネイル画像の数は受け付けた画像データの数よりも少ない。そのため、受付部８Ａはオーダ入力画面を複数ページとして構成し、サムネイル画像をその複数のページに分散配置している。そのため、オーダ入力画面１００にはページを移動するためのページ移動ボタン１０５が備えられている。
【００５７】
プリントサイズ入力領域１０３およびプリント枚数入力領域１０２はプルダウンメニューとして構成されており、顧客がタッチパネル６上のこれらの領域に対応する位置をタッチすると、選択可能な項目がメニュー形式で表示されるため、顧客はタッチパネル６を操作して所望の項目を選択する。選択された項目は、対応する領域に表示される。この選択操作により選択された項目は、受付部８Ａに伝えられる。このとき、受付部８Ａは、選択された項目を対応するサムネイル画像の画像ＩＤと関連付けて一時記憶する。
【００５８】
また、顧客が各画像データに対して補正値を設定したい場合には、タッチパネル６を操作して補正値を設定した画像データに対応するサムネイル画像の位置をタッチすると、図１１の補正値設定画面１１０に移行する。この補正値設定画面１１０には、サムネイル画像１１１と補正値入力領域１１２が含まれている。また、補正値入力領域１１２は、各色要素（ＣＭＹ）および濃度に対する補正値を入力するＣ補正値入力領域１１２Ｃ，Ｍ補正値入力領域１１２Ｍ，Ｙ補正値入力領域１１２Ｙおよび濃度補正値入力領域１１２Ｄから構成されている。Ｃ補正値入力領域１１２Ｃ，Ｍ補正値入力領域１１２Ｍ，Ｙ補正値入力領域１１２Ｙおよび濃度補正値入力領域１１２Ｄもプルダウンメニューとして構成されている。なお、補正値「Ｎ」は補正なし（ニュートラル）を示している。
【００５９】
顧客がタッチパネル６を操作して所望の補正値を入力し、プレビューボタン１１３を押下すると、受付部８Ａは表示しているサムネイル画像１１１に対応するサムネイル画像データに対して入力された補正値を適用して、補正後のサムネイル画像データに基づきサムネイル画像１１１を更新する。顧客は、表示されたサムネイル画像１１１が満足いくものであれば確定ボタン１１４を押下し、満足できなれば再度補正値を設定しプレビューを行う。
【００６０】
確定ボタン１１４が押下されると、受付部８Ａは画面をオーダ入力画面に移行させるとともに、補正値とその補正値に対応するサムネイル画像の画像ＩＤとを関連付けてメモリに一時記憶する。
【００６１】
顧客は、上述の処理を繰り返して全ての注文内容の入力を完了すると、注文確定ボタン１０６を押下する（＃０３）。このとき、受付部８Ａは注文内容を表す注文内容データを生成し、メモリに一時記憶する。また、受付部８Ａは、受け付けたオーダを特定するためのオーダ特定情報を生成する。このオーダ特定情報はオーダに係る画像データと注文内容データに付与される。したがって、注文内容データは｛オーダ特定情報，画像ＩＤ，プリントサイズ，プリント数，補正値｝を要素として有するレコードの集合となる。
【００６２】
注文が確定すると、受付部８Ａは画像プリントの料金を計算するとともに、その料金をディスプレイ７に表示し、顧客に支払いを促す。受付部８Ａは、料金受領ユニットＡＤを監視し、顧客の料金支払いの完了を確認する（＃０４）。
【００６３】
料金の支払いが完了すると（＃０４のYes分岐）、受付部８Ａから受付証作成部８Ｂおよびデータ通信部８Ｃにオーダ特定情報が通知される（＃０５）。通知を取得した受付証作成部８Ｂは、メモリに一時記憶された各種情報から必要な情報を取得し、顧客が画像プリントを受け取る際に必要となるオーダ特定情報等の情報が記載された受付証データを作成し、受付証画像プリント装置４によりプリントアウトする（＃０６）。図１２は、このようにして作成された受付証Ｒの例である。この例では、仕上がり予定日時やオーダ特定情報をバーコード化したものが含まれている。顧客は、このオーダ特定情報を表すバーコードを引渡装置Ｃのバーコードリーダ３５に読取らせることにより、注文した画像プリントを受け取ることができる。
【００６４】
一方、受付部８Ａからオーダ特定情報を取得したデータ通信部８Ｃは、メモリに一時記憶されている画像データのうち取得したオーダ特定情報に関連付けられている画像データを抽出し、その画像データとその画像データに対応する補正値とオーダ特定情報とを画像処理装置Ｂの画像処理部２０に送信する（＃０７）。同時に、データ通信部８Ｃは、オーダ特定情報と、そのオーダ特定情報に対応する注文内容データを画像プリント装置Ｃａのプリント制御ユニット４７に送信する（＃０８）。
【００６５】
オーダ特定情報と画像データとその補正値とを取得した画像処理部２０は、取得した画像データに対して所定の画像処理および取得した補正値による色補正処理を施し、画像プリントのための画像プリントデータを作成する（＃０９）。作成された画像プリントデータはオーダ特定情報とともに、画像処理部２０から画像プリント装置Ｃａのプリント制御ユニット４７に送信される（＃１０）。
【００６６】
一方、データ通信部８Ｃから注文内容データを取得したプリント制御ユニット４７は、注文内容が確定したためウォームアップを開始してもよいと判断し、画像プリント装置Ｃａのウォームアップ制御部４８にウォームアップの開始を指示する（＃１１）。プリント制御ユニット４７からのウォームアップ開始指示を取得したウォームアップ制御部４８は、画像プリント装置Ｂのウォームアップを開始する（＃１２）。
【００６７】
プリント制御ユニット４７はウォームアップの完了を監視し（＃１３）、ウォームアップが完了すると（＃１３のYes分岐）、取得した注文内容データおよび画像プリントデータに基づき、画像プリントを作成する（＃１４）。なお、ウォームアップが完了した時点で画像処理部２０から画像プリントデータが供給されていない場合には、画像プリントデータが供給された時点で画像プリントの作成が開始される。したがって、この場合にもウォームアップによる待ち時間は生じない。
【００６８】
このようにして作成された画像プリントは、搬送ユニットＣｄを介して挿入ユニットＣｅのシフト部６０上にオーダ単位で積層され、挿入部８０により収容空間Ｓに挿入される。このとき、画像プリントを収容する収容空間Ｓは、制御ユニットＣｈにより決定され、制御ユニットＣｈは、オーダ特定情報とそのオーダ特定情報の画像プリントが収容された収容空間Ｓの位置とを記憶しておく。
【００６９】
顧客が画像プリントを受け取る際には、受付証Ｒにプリントされているオーダ特定情報を表すバーコードを引渡装置Ｃのバーコードリーダ３５に読み込ませると、制御ユニットＣｈが読み込んだオーダ特定情報の画像プリントが収容されている収容空間Ｓを特定し、上述の処理により、特定した収容空間Ｓから画像プリントが排出される。
【実施例２】
【００７０】
本実施例は、図１３に示すように、引渡装置Ｃが複数（３台）備えられており、各種情報を統合的に管理する制御装置Ｅが備えられている点において実施例１と異なっている。したがって、実施例１と同様の構成には同一の符号を付して、詳細な説明は省略する。
【００７１】
制御装置Ｅは、汎用コンピュータにより構成されており、受付装置Ａにおいて受け付けられたオーダの画像プリントを実行する画像プリント装置Ｃａを決定する画像プリント装置決定部２５を備えている。画像プリント装置決定部２５は、種々の条件に基づき画像プリントを行う画像プリント装置Ｃａを決定する。決定する条件としては、注文内容と、各引渡装置Ｃが収容可能なプリント用紙Ｐのサイズ、各引渡装置Ｃにおける収容状況、各画像プリント装置Ｃａに設定されているプリント用紙Ｐの種別との関係等を用いることができる。
【００７２】
図１４は、本実施例における処理の流れを表すフローチャートであり、図１５はその処理におけるデータの流れを表すデータフローである。まず、実施例１の＃０１〜＃０４と同様の処理により注文内容が確定し、料金の支払いが完了する（＃２１）。このとき、受付部８Ａからデータ通信部８Ｃにオーダ特定情報が通知される（＃２２）。
【００７３】
オーダ特定情報を取得したデータ通信部８Ｃは、オーダ特定情報に対応する注文内容データをメモリから取得し、画像プリント装置決定部２５に送信する（＃２３）。
【００７４】
注文内容情報等を取得した画像プリント装置決定部２５は、注文内容情報と各画像プリント装置Ｃａの状態とに基づき、画像プリントを作成する画像プリント装置Ｃａを決定する（＃２４）。例えば、各画像プリント装置Ｃａに装填されている画像プリントのためのプリント用紙Ｐのサイズが異なっている場合には、注文内容データの画像プリントサイズのプリント用紙Ｐが装填されている画像プリント装置Ｃａが選択される。当然ながら、注文内容データに複数の画像プリントサイズが含まれており、一の画像プリント装置Ｃａでそれらのプリントサイズをプリントできない場合には、複数の画像プリント装置Ｃａが選択されることとなる。
【００７５】
また、本実施形態のように画像プリント装置Ｃａと引渡装置Ｃとが一体に構成されている場合や、画像プリント装置Ｃａと引渡装置Ｃとが接続されている場合には、引渡装置Ｃの状態に応じて、画像プリント装置Ｃａを決定しても構わない。例えば、各引渡装置Ｃの収容ユニットＣｂに収容可能な画像プリントのサイズが異なっている場合には、画像プリントのサイズと引渡装置Ｃに収容可能な画像プリントのサイズとに応じて引渡装置Ｃが決定され、それに応じて画像プリント装置Ｃａが決定される。また、さらに引渡装置Ｃの収容ユニットＣｂの空き状態を考慮することもできる。
【００７６】
このようにして、画像プリントを作成する画像プリント装置Ｃａが決定されると、画像プリント装置決定部２５は、取得した注文内容データから画像プリント装置Ｃａ毎の注文内容データ（以下、個別注文内容データと称する）を生成する（＃２５）。例えば、注文内容データにＬサイズと２Ｌサイズのプリントサイズの注文が含まれており、画像プリント装置Ｃａ１にはＬサイズ、画像プリント装置Ｃａ２には２Ｌサイズのプリント用紙が装填されているとすると、注文内容データからプリントサイズがＬサイズであるレコードが抽出され、画像プリント装置Ｃａ１用の個別注文内容データとされる。一方、注文内容データから抽出されたプリントサイズが２Ｌサイズであるレコードは、画像プリント装置Ｃａ２用の個別注文内容データとされる。この個別注文内容データには、対応する画像プリント装置Ｃａの識別番号が付加され、データ通信部８Ｃに返送される（＃２６）。なお、決定された画像プリント装置Ｃａが一のときは、取得した注文内容データ自体が個別注文内容データとなるため、＃２５の処理はスキップすることができる。このときは、その旨のみをデータ通信部８Ｃに返送し、個別注文内容データの送信を行わない構成とすることもできる。
【００７７】
個別注文内容データを取得したデータ通信部８Ｃは、個別注文内容データを受付証作成部８Ｂに送信する（＃２７）。個別注文内容データを取得した受付証作成部８Ｂは、取得した個別注文内容データに基づいて受付証Ｒのプリントデータを作成し、受付証画像プリント装置４によりプリントアウトする（＃２８）。図１６は、本実施例における受付証Ｒの例では。この例では、画像プリントを受け取るべき引渡装置Ｃが複数記載されている。
【００７８】
また、データ通信部８Ｃは、取得した注文内容データに基づき、画像処理装置Ｂに送信すべき画像データとその補正値を特定する。このとき、個別注文内容データに基づき、各画像データをプリントする画像プリント装置Ｃａを特定できるため、各画像データに対して、その画像プリント装置Ｃａの識別情報を付加する。すなわち、各画像データは、補正値と、その画像データをプリントすべき画像プリント装置Ｃａの識別情報とが付加されたデータ形式となる。このような画像データがオーダ特定情報とともに、画像処理部２０に送信される（＃２９）。
【００７９】
画像データと補正値とオーダ特定情報を取得した各画像処理装置Ｂの画像処理部２０は、実施例１と同様に画像プリントデータを作成し、その画像プリントデータを対応する画像プリント装置Ｃａのプリント制御ユニット４７に送信する（＃３０）。
【００８０】
また、データ通信部８Ｃは、画像処理装置Ｂにデータを送信する際に、個別注文内容データを対応する画像プリント装置Ｃａのプリント制御ユニット４７に送信する（＃３１）。個別注文内容データを受けたプリント制御ユニット４７は、自身の画像プリント装置Ｃａに対するオーダが確定したと判断し、自身のウォームアップ制御部４８にウォームアップを開始する旨の指示を与え、その指示を受けたウォームアップ制御部４８はウォームアップを開始する（＃３２）。
【００８１】
各プリント制御ユニット４８は、自身のウォームアップが完了し、画像処理装置Ｂから画像プリントデータを受信すると、個別注文内容データに基づき画像プリントを作成する（＃３３）。
【００８２】
〔別実施形態〕
（１）上述の実施形態では、受付装置Ａにおいて画像プリントの注文内容が確定した時点で、画像処理装置Ｂにおける画像処理および画像プリント装置Ｃａのウォームアップを開始したが、受付装置Ａにおいて画像データを受け付けた時点でこれらの処理を開始しても構わない。
【００８３】
（２）上述の実施形態では、受付装置Ａが料金受領ユニットＡＤを備える構成としたが、料金受領ユニットＡＤを備えない構成としても構わない。この場合には、＃０４の判定処理がなされず、オーダ入力画面１００において注文確定ボタン１０６が押下された時点で画像プリントに向けた処理が実行されるため、顧客が画像プリントを引き取りに来なければ料金を回収することができない。したがって、料金受領ユニットＡＤを備えない場合等の場合には、注文内容データに料金支払いの有無を示すフラグを付加し、データ通信部８Ｃおよびプリント制御ユニット４７は、このフラグの値をトリガとして画像プリントの実行を開始する構成とすることが望ましい。
【００８４】
（３）上述の実施形態では、画像プリント装置決定部２５を独立した制御装置Ｅに備えたが、画像処理装置Ｂや受付装置Ａ等の他の装置に備える構成としても構わない。その場合には、画像プリント装置決定部２５が備えられた装置が、制御装置Ｅとしても機能することとなる。
【産業上の利用可能性】
【００８５】
本発明は、画像プリントのためのオーダを受け付ける受付装置と画像処理後に画像プリントを行う画像プリント装置とを備えた画像プリントシステムに利用することができる。
【符号の説明】
【００８６】
Ａ：受付装置
Ｂ：画像処理装置
Ｃａ：画像プリント装置
Ｅ：制御装置
４８：ウォームアップ制御部
２５：画像プリント装置決定部
【図１】
2010284887.tif 000003
【図２】
2010284887.tif 000004
【図３】
2010284887.tif 000005
【図４】
2010284887.tif 000006
【図５】
2010284887.tif 000007
【図６】
2010284887.tif 000008
【図７】
2010284887.tif 000009
【図８】
2010284887.tif 000010
【図９】
2010284887.tif 000011
【図１０】
2010284887.tif 000012
【図１１】
2010284887.tif 000013
【図１２】
2010284887.tif 000014
【図１３】
2010284887.tif 000015
【図１４】
2010284887.tif 000016
【図１５】
2010284887.tif 000017
【図１６】
2010284887.tif 000018